【手続補正書】
【提出日】平成21年1月27日(2009.1.27)
【手続補正１】
【補正対象書類名】明細書
【補正対象項目名】００２６
【補正方法】変更
【補正の内容】
【００２６】
バリ除去用工具１０としては、エッジ（刃）等の切削工具や、砥石のような研削工具が用いられる。
【手続補正２】
【補正対象書類名】明細書
【補正対象項目名】００２８
【補正方法】変更
【補正の内容】
【００２８】
図２で示すように、端面加工装置１００のフード部１２の端面１２ｅが、トルシアボルト１で締結されている母材（たとえば鋼材）の表面Ｍｆに当接しているので、トルシアボルト１端部は、端面加工装置１００によって、完全に包囲されている。
そのため、バリ除去用工具１０によりバリ１ｄが除去される際に発生する金属粉は、端面加工装置１００の外部に漏れ出す恐れがなく、周囲に拡散してしまうことが防止される。そして、金属粉が拡散しないため、金属粉が周辺の母材Ｍｆに付着して「もらい錆び」の原因となることもない。
なお、バリ１ｄが除去される際に生ずる金属粉は、端面加工装置１００に設けた凹部１２Ｈ（金属粉収集機構）により収集される。
【手続補正３】
【補正対象書類名】明細書
【補正対象項目名】００３７
【補正方法】変更
【補正の内容】
【００３７】
図６、図７は第３実施形態を示している。
図６、図７において、全体を符号１０３で示す端面加工装置も、バリ除去用工具１０（図６、図７では図示せず）及びそれを回転させるモータ１４を、トルシアボルト破断面に近接させ、あるいは離隔させるように構成されている。
図６において、端面加工装置１０３は、バリ除去用工具１０（図６、図７では図示せず）及び電動モータ１４は軸１４０により支持されており、軸１４０は、ケーシング１１の後方壁１１ｗを貫通するように構成されている。
図６、図７において、符号１１ｅは、後方壁１１ｗの端面（後端面）を示す。
【手続補正４】
【補正対象書類名】明細書
【補正対象項目名】００４７
【補正方法】変更
【補正の内容】
【００４７】
フード部１２Ａの先端側（母材表面Ｍｆ側：図１１では左側）に、ベローズ１２０の一端（図示の右端）が取付けられている。ベローズ１２０の他端（左端）は、母材表面Ｍｆに当接している。
【手続補正５】
【補正対象書類名】明細書
【補正対象項目名】００６８
【補正方法】変更
【補正の内容】
【００６８】
図１７において、バリ除去用工具１０ＣＡは、１本の直線刃（端面加工用の刃）１０１Ｃから構成されている。
図１８で示すように、直線刃１０１Ｃは、切削刃取付けベース１０Ｂの先端面において、中心付近から半径方向外方に向かって延在している。
【手続補正６】
【補正対象書類名】明細書
【補正対象項目名】００７１
【補正方法】変更
【補正の内容】
【００７１】
図１９、図２０は第１２実施形態を示す。図１９、図２０の第１２実施形態も、バリ除去用工具１０の具体的な構成に係る実施形態である。
トルシアボルト１の破断面１ｃを図１７で示すように平坦に加工した場合には、加工された部分の縁部（図１７の符号Ｅで示す部分）に、新たなエッジが形成されてしまう。
その様なエッジを形成しない様にするため、図１９、図２０では、バリ除去用工具１０ＣＢは、直線刃（端面加工用の刃：図では大きな方の刃）と、傾斜刃（縁部加工用の刃：図では小さな方の刃）とを組み合わせて構成されている。
【手続補正７】
【補正対象書類名】明細書
【補正対象項目名】００７２
【補正方法】変更
【補正の内容】
【００７２】
図１９において、第１２実施形態のバリ除去用工具１０ＣＢは、１本の直線刃１０１Ｃと、１本の傾斜刃１０２Ｃとを有している。傾斜刃１０２Ｃは、その刃面が回転軸方向に対して斜め方向に傾斜して形成されている。
直線刃１０１Ｃは、切削刃取付けベース１０Ｂの先端面（トルシアボルト１側の端面）の中心付近から、半径方向外方に向かって延在している。一方、傾斜刃１０２Ｃは、図２０で示すように、切削刃取付けベース１０Ｂ先端面において、直線刃１０１Ｃの延長線上に設けられており、かつ、ベース１０Ｂ先端面の外周近傍に配置されている。
【手続補正８】
【補正対象書類名】明細書
【補正対象項目名】００７３
【補正方法】変更
【補正の内容】
【００７３】
ここで、直線刃１０１Ｃは、トルシアボルト１の破断面１ｃを軸線方向と直交するように切削する。一方、傾斜刃１０２Ｃは、直線刃１０１Ｃによる加工面（破断面１ｃ）の縁部Ｅ（図１７参照）を面取り加工する。
トルシアボルト１の破断面１ｃは、傾斜刃１０２Ｃで面取り加工（Ｃ1部）されるため、トルシアボルト１の端面のコーナー部（縁部）Ｅに新たなエッジが形成されてしまうことがなく、安全性が向上する。
【手続補正９】
【補正対象書類名】明細書
【補正対象項目名】００７６
【補正方法】変更
【補正の内容】
【００７６】
図２１において、バリ除去用工具１０ＣＤは、直線刃１０１Ｃと、湾曲した刃１０３Ｃ（縁部加工用の刃：図では小さな方の刃）とを組み合わせて構成されている。
図２１で示す湾曲した刃１０３Ｃは、直線刃１０１Ｃによって加工された面１ｃの縁部に、湾曲部（いわゆる「アール」）に形成する。
【手続補正１０】
【補正対象書類名】明細書
【補正対象項目名】００７７
【補正方法】変更
【補正の内容】
【００７７】
図２１において、バリ除去用工具１０ＣＤは、１本の直線刃１０１Ｃと、１本の湾曲した刃１０３Ｃとを有している。湾曲した刃１０３Ｃの刃面は、ベース１０Ｂの端面（トルシアボルト１側の端面）の中心側に形成されている。そして湾曲した刃１０３Ｃの刃面は、四半円の円弧の形状に構成されている。
直線刃（図２１の大きな方の刃）１０１Ｃは、切削刃取付けベース１０Ｂの端面の中心付近から半径方向外方に延在している。一方、湾曲した刃（図２１の小さな方の刃）１０３Ｃは、切削刃取付けベース１０Ｂの延長線上に位置しており、かつ、ベース１０Ｂ先端面の外周近傍に配置されている。  
【手続補正１１】
【補正対象書類名】明細書
【補正対象項目名】００７９
【補正方法】変更
【補正の内容】
【００７９】
図２２、図２３は、第１４実施形態を示す。
図２２、図２３の第１４実施形態も、バリ除去用工具１０の具体的な構成に係る実施形態である。
図２２、図２３の第１４実施形態のバリ除去用工具１０ＣＥは、図１７、図１８の第１１実施形態と同様に、１本の刃１０４Ｃのみを有している。
【手続補正１２】
【補正対象書類名】明細書
【補正対象項目名】００８０
【補正方法】変更
【補正の内容】
【００８０】
図１７では直線刃１０１Ｃの加工エッジは、中心軸と垂直な方向（半径方向）に延在する直線的なエッジである。それに対して、図２２で示す刃１０４Ｃは、加工エッジ１０４Ｃｅが円弧状になっている。
係る円弧状の刃１０４Ｃでトルシアボルト１の破断面を切削すると、トルシアボルト１の被切削面（被加工面）１ｒは、球面状となる。従って、図１７のコーナーＥにおけるエッジが形成されてしまうことはない。
【手続補正１３】
【補正対象書類名】明細書
【補正対象項目名】００８２
【補正方法】変更
【補正の内容】
【００８２】
図２４は、本発明の第１５実施形態を示す。
図２４では、直線刃１０１Ｃと傾斜刃１０２Ｃの対が、２対設けられている。
【手続補正１４】
【補正対象書類名】明細書
【補正対象項目名】００８３
【補正方法】変更
【補正の内容】
【００８３】
図２４において、バリ除去用工具１０ＣＦは、２個設けられた直線刃１０１Ｃは、回転中心に対して点対称に配置されている。２個設けられた傾斜刃１０２Ｃも、回転中心に対して点対称に配置されている。
図２４では、直線刃１０１Ｃと傾斜刃１０２Ｃとでなす角（いわゆる中心角）が４５°となっているが、たとえば９０°にしてもよいし、それ以外の角度であってもよい。但し、直線刃１０１Ｃと傾斜刃１０２Ｃとは、近づけ過ぎないことが好ましい。直線刃１０１Ｃと傾斜刃１０２Ｃとを近づけ過ぎると、切削により生じた金属粉がかたまりとなって、つまってしまう恐れがあるためである。
【手続補正１５】
【補正対象書類名】明細書
【補正対象項目名】００８５
【補正方法】変更
【補正の内容】
【００８５】
図２５は、本発明の第１６実施形態を示す。
図２５では、直線刃１０１Ｃと傾斜刃１０２Ｃの対が、３対設けられている。
【手続補正１６】
【補正対象書類名】明細書
【補正対象項目名】００８６
【補正方法】変更
【補正の内容】
【００８６】
図２５において、第１６実施形態のバリ除去用工具１０ＣＧは、直線刃１０１Ｃと傾斜刃１０２Ｃからなる対が、回転中心に対して点対称に配置されている。
図２５において、隣接する直線刃１０１Ｃと、傾斜刃１０２Ｃと、取付けベース１０Ｂの中心点Ｏとにより形成される角度は、約６０°になるように配置されている。
【手続補正１７】
【補正対象書類名】明細書
【補正対象項目名】００８７
【補正方法】変更
【補正の内容】
【００８７】
刃工具の数を増やすことにより、刃工具の交換周期を延長することが可能である。
なお、図示はされていないが、直線刃と傾斜刃の対を、４対以上設けることも可能である。
図２５の第１６実施形態におけるその他の構成及び作用効果は、図１９〜図２１の実施形態と同様である。
図２５の実施形態も、図４〜図１６の実施形態と組み合わせることが可能である。
【手続補正１８】
【補正対象書類名】明細書
【補正対象項目名】００８８
【補正方法】変更
【補正の内容】
【００８８】
図２６は、本発明の第１７実施形態を示している。
図１７〜図２５の実施形態は、刃工具を回転させて、切削加工により、トルシアボルト１の破断面１ｃに生じたバリを、切削加工により除去している。
それに対して、図２６は、砥石４０を用いた研削加工により、バリの除去を行っている。
【手続補正１９】
【補正対象書類名】明細書
【補正対象項目名】００８９
【補正方法】変更
【補正の内容】
【００８９】
図２６において、バリ除去用工具１０ＣＨは、取付けベース１０Ｂに円盤状の砥石４０を取付けている。
図２６で示す砥石４０によりバリが除去されたトルシアボルトの端面は、図１７で示すトルシアボルト１の端面１ｃと同様に、平坦に加工される。
【手続補正２０】
【補正対象書類名】明細書
【補正対象項目名】００９１
【補正方法】変更
【補正の内容】
【００９１】
図２７は、本発明の第１８実施形態を示している。
図２７の実施形態も、砥石４１を用いた研削加工により、バリの除去を行っている。
図２６の実施形態では、トルシアボルトの端面（破断面）は平坦に加工されるので、図１７で示すトルシアボルト１の端面１ｃの縁部Ｅと同様に、加工面の縁部に新たにエッジが生じてしまう。それに対して、図２７の実施形態では、加工された端面の縁部（図１７の縁部Ｅに相当する部分：図２７では図示せず）に面取りが施される。
【手続補正２１】
【補正対象書類名】明細書
【補正対象項目名】００９２
【補正方法】変更
【補正の内容】
【００９２】
図２７において、バリ除去用工具１０ＣＩは、取付けベース１０Ｂに、砥石４１を取付けて構成されている。砥石４１には円錐台形の凹部４１ｂが形成されており、凹部４１ｂの外縁側にはテーパー状の斜面４１ａが形成されている。
テーパー状の斜面４１ａがトルシアボルト端面の縁部（図１７の縁部Ｅに相当する部分：図２７では図示せず）に当接されることにより、その縁部に、図１９で示すトルシアボルト１の端面１ｃと同様に、面取りが施される。
【手続補正２２】
【補正対象書類名】明細書
【補正対象項目名】００９５
【補正方法】変更
【補正の内容】
【００９５】
図２８において、バリ除去用工具１０ＣＪは、砥石４２を備えている。砥石４２には円錐台形の凹部４２ｂが形成されており、凹部４２ｂの外縁部は四半円状の円弧４２ａが形成されている。
トルシアボルトの研削加工面の縁部（図１７の縁部Ｅに相当：図２８では図示せず）に、砥石４２の円弧４２ａが当接して研削加工されることにより、その縁部は、図２１におけるトルシアボルト端面１ｃと同様に、湾曲部分（アール）が形成される。
【手続補正２３】
【補正対象書類名】明細書
【補正対象項目名】００９８
【補正方法】変更
【補正の内容】
【００９８】
図２９において、バリ除去用工具１０ＣＫは、取付けベース１０Ｂに砥石４３を取付けて構成されている。砥石４３には、球面状の凹部４３ｂが形成されている。
砥石４３の凹部４３ｂを当接することにより、バリを除去するべきトルシアボルト１の端面は、図２２の端面１ｒのように球面状に加工される。